(57)【要約】【課題】ユーザーが所望する品質の画像を形成する。【解決手段】画像形成装置１００は、トナー供給部１３、画像形成部４、判定部８０２及び形成部８０３を備える。トナー供給部１３には、トナーコンテナＴＣが装着される。画像形成部４は、用紙Ｐに画像を形成する。判定部８０２は、トナーコンテナＴＣが第１コンテナＴＣ１であるか第２コンテナＴＣ２であるかを判定する。第２コンテナＴＣ２であると判定した場合に、判定部８０２は、第１品質Ｑ１で画像を形成するか第２品質Ｑ２で画像を形成するかを判定し、形成部８０３は、画像形成部４が画質評価画像Ｍを形成するように画像形成部４を制御する。画質評価画像Ｍは、画質Ｑを評価するための画像を示す。第１品質Ｑ１は、第２品質Ｑ２より高い。トナーコンテナＴＣが第１コンテナＴＣ１である場合には、画像形成部４は第１品質Ｑ１の画像を形成する。【選択図】図３
2019056809.tif 000002
【特許請求の範囲】
【請求項１】
消耗品を収容する交換部品が装着される装着部と、
前記消耗品を消費することによって記録媒体に画像を形成する画像形成部と、
前記装着部に装着された前記交換部品が、第１交換部品であるか前記第１交換部品と相違する第２交換部品であるかを判定する第１判定部と、
前記交換部品が前記第２交換部品であると前記第１判定部が判定した場合に、第１品質で画像を形成するか、第２品質で画像を形成するかを判定する第２判定部と、
前記交換部品が前記第２交換部品であると前記第１判定部が判定した場合に、前記画像形成部が画質評価画像を形成するように前記画像形成部を制御する形成部と
を備え、
前記画質評価画像は、画質を評価するための画像を示し、
前記第１品質は、前記第２品質より高く、
前記交換部品が前記第１交換部品である場合には、前記画像形成部は前記第１品質の画像を形成する、画像形成装置。
【請求項２】
前記画像形成装置の電源がオフからオンにされる度に、前記形成部は、前記画像形成部が前記画質評価画像を形成するように前記画像形成部を制御する、請求項１に記載の画像形成装置。
【請求項３】
前記記録媒体に画像を形成する旨の指示を受け付ける受付部を更に備え、
前記受付部が前記記録媒体に画像を形成する旨の指示を受け付ける度に、前記第２判定部は、前記第１品質で画像を形成するか前記第２品質で画像を形成するかを判定する、請求項１又は請求項２に記載の画像形成装置。
【請求項４】
ユーザーからの入力に基づき前記画質を調整する調整部を更に備える、請求項１から請求項３のいずれか１項に記載の画像形成装置。
【請求項５】
ディスプレーと、
ユーザーからの入力に基づき前記画質の調整を行うか否かを判定する第３判定部と
を更に備え、
前記第３判定部は、前記交換部品が前記第２交換部品であると前記第１判定部が判定した場合に、前記画像形成部が画像を形成する度に、前記画質の調整を行うか否かを判定し、
前記調整部は、前記第３判定部の判定結果に応じて、画質調整画面を前記ディスプレーに表示し、
前記画質調整画面は、ユーザーからの入力に基づき前記画質を調整する画面を示す、請求項４に記載の画像形成装置。
【請求項６】
前記画質は、ガンマ値、濃度、色再現性、及びかぶりの程度の少なくとも１つを含む、請求項１から請求項５のいずれか１項に記載の画像形成装置。
【請求項７】
複数の交換部品の識別情報と複数の画像形成条件とを対応付けて記憶する記憶部と、
前記装着部に装着された前記交換部品から前記識別情報を取得する取得部と、
前記識別情報を前記取得部が取得し、前記交換部品は前記第２交換部品であると前記第１判定部が判定した場合に、前記識別情報が、前記記憶部に記憶された前記複数の識別情報のいずれかと一致するか否かを判定する第４判定部と、
前記第４判定部の判定結果に応じて、前記識別情報に対応する前記画像形成条件を読み出して、前記画像形成部に対して前記画像形成条件を設定する設定部と
を更に備え、
前記画像形成条件は、前記画質を調整する条件を示す、請求項１から請求項６のいずれか１項に記載の画像形成装置。
【請求項８】
前記交換部品が前記第２交換部品であると前記第１判定部が判定した場合に、前記第２判定部は、前記第１品質で画像を形成するか、前記第２品質で画像を形成するか、第３品質で画像を形成するかを更に判定し、
前記第３品質は、前記第１品質より低く、且つ前記第２品質より高い、請求項１から請求項７のいずれか１項に記載の画像形成装置。
【請求項９】
消耗品を収容する交換部品が装着される装着部と、前記消耗品を消費することによって記録媒体に画像を形成する画像形成部とを備える画像形成装置が実行する画像形成方法であって、
前記装着部に装着された前記交換部品が、第１交換部品であるか前記第１交換部品と相違する第２交換部品であるかを判定する第１判定ステップと、
前記交換部品が前記第２交換部品であると判定した場合に、第１品質で画像を形成するか、第２品質で画像を形成するかを判定する第２判定ステップと、
前記交換部品が前記第２交換部品であると判定した場合に、前記画像形成部が画質評価画像を形成するように前記画像形成部を制御する形成ステップと
を含み、
前記画質評価画像は、画質を評価するための画像を示し、
前記第１品質は、前記第２品質より高く、
前記交換部品が前記第１交換部品である場合には、前記画像形成部は前記第１品質の画像を形成する、画像形成方法。
【発明の詳細な説明】
【技術分野】
【０００１】
本発明は、画像形成装置、及び画像形成方法に関する。
【背景技術】
【０００２】
特許文献１に記載の画像形成装置は、制御部を備え、制御部は、非純正品判定部を有する。非純正品判定部は、画像形成部の交換部品が非純正品であるか否かを判定する。交換部品は、例えば、トナーコンテナである。画像形成部の交換部品が非純正品であると非純正品判定部が判定した場合に、制御部は、トナー濃度調整値のユーザーによる変更を禁止する。トナー濃度調整値は、用紙に形成する画像の濃度を調整する値を示す。具体的には、制御部は、トナー濃度調整値を所定のデフォルト値に設定し、画像を形成する。所定のデフォルト値は、例えば工場出荷時のトナー濃度調整値である。
【先行技術文献】
【特許文献】
【０００３】
【特許文献１】特開２０１３−１０１１９４号公報
【発明の概要】
【発明が解決しようとする課題】
【０００４】
特許文献１に記載の画像形成装置では、画像形成装置に装着されたトナーコンテナが非純正品である場合には、トナー濃度調整値の変更が禁止されるため、ユーザーが所望する濃度の画像が形成できない可能性がある。そこで、ユーザーが所望する品質の画像が形成できない可能性がある。
【０００５】
本発明は、上記課題に鑑みてなされたものであり、ユーザーが所望する品質の画像を形成可能な画像形成装置、及び画像形成方法を提供することを目的としている。
【課題を解決するための手段】
【０００６】
本発明に係る画像形成装置は、装着部と、画像形成部と、第１判定部と、第２判定部と、形成部とを備える。前記装着部は、消耗品を収容する交換部品が装着される。前記画像形成部は、前記消耗品を消費することによって記録媒体に画像を形成する。前記第１判定部は、前記装着部に装着された前記交換部品が、第１交換部品であるか前記第１交換部品と相違する第２交換部品であるかを判定する。前記第２判定部は、前記交換部品が前記第２交換部品であると前記第１判定部が判定した場合に、第１品質で画像を形成するか、第２品質で画像を形成するかを判定する。前記形成部は、前記交換部品が前記第２交換部品であると前記第１判定部が判定した場合に、前記画像形成部が画質評価画像を形成するように前記画像形成部を制御する。前記画質評価画像は、画質を評価するための画像を示す。前記第１品質は、前記第２品質より高い。前記交換部品が前記第１交換部品である場合には、前記画像形成部は前記第１品質の画像を形成する。
【０００７】
本発明に係る画像形成方法は、装着部と、画像形成部とを備える画像形成装置が実行する画像形成方法であって、第１判定ステップ、第２判定ステップ、及び形成ステップを含む。前記装着部は、消耗品を収容する交換部品が装着される。前記画像形成部は、前記消耗品を消費することによって記録媒体に画像を形成する。前記第１判定ステップでは、前記装着部に装着された前記交換部品が、第１交換部品であるか前記第１交換部品と相違する第２交換部品であるかを判定する。前記第２判定ステップでは、前記交換部品が前記第２交換部品であると判定した場合に、第１品質で画像を形成するか、第２品質で画像を形成するかを判定する。前記形成ステップでは、前記交換部品が前記第２交換部品であると判定した場合に、前記画像形成部が画質評価画像を形成するように前記画像形成部を制御する。前記画質評価画像は、画質を評価するための画像を示す。前記第１品質は、前記第２品質より高い。前記交換部品が前記第１交換部品である場合には、前記画像形成部は前記第１品質の画像を形成する。
【発明の効果】
【０００８】
本発明の画像形成装置、及び画像形成方法によれば、ユーザーが所望する品質の画像を形成できる。
【図面の簡単な説明】
【０００９】
【図１】本発明の実施形態に係る画像形成装置の構成の一例を示す図である。
【図２】本発明の実施形態に係る画像形成部の構成の一例を示す図である。
【図３】本発明の実施形態に係る制御部の構成の一例を示す図である。
【図４】タッチパネルに表示する画面の一例を示す画面図である。（ａ）は、画質確認画面の一例を示す画面図である。（ｂ）は、調整確認画面の一例を示す画面図である。
【図５】タッチパネルに表示する濃度調整画面の一例を示す画面図である。
【図６】画質評価画像の一例を示す図である。
【図７】制御部の処理の一例を示すフローチャートである。
【図８】制御部の処理の一例を示すフローチャートである。
【図９】制御部の処理の一例を示すフローチャートである。
【発明を実施するための形態】
【００１０】
以下、本発明の実施形態について、図面（図１〜図９）を参照しながら説明する。なお、図中、同一又は相当部分については同一の参照符号を付して説明を繰り返さない。
【００１１】
まず、図１を参照して、本発明の実施形態に係る画像形成装置１００の構成について説明する。図１は、画像形成装置１００の構成を示す図である。画像形成装置１００は、カラー複合機である。
【００１２】
図１に示すように、画像形成装置１００は、画像形成ユニット１、画像読取ユニット２、原稿搬送ユニット３、操作パネル１４及び制御部８を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル１４は、ユーザーからの操作を受け付ける。制御部８は、画像形成装置１００の動作を制御する。
【００１３】
画像形成ユニット１は、給送部１２、搬送部Ｌ、トナー供給部１３、画像形成部４、定着部１６及び排出部１７を備える。画像形成部４は、転写部５を含む。
【００１４】
給送部１２は、用紙Ｐを搬送部Ｌへ供給する。搬送部Ｌは、用紙Ｐを転写部５及び定着部１６を経由して排出部１７まで搬送する。用紙Ｐは、「記録媒体」の一例に相当する。
【００１５】
トナー供給部１３は、画像形成部４にトナーを供給する。トナー供給部１３には、トナーコンテナＴＣｃ、トナーコンテナＴＣｍ、トナーコンテナＴＣｙ及びトナーコンテナＴＣｋが装着される。トナーコンテナＴＣｃ〜トナーコンテナＴＣｋは、「交換部品」の一例に相当する。以下の説明において、トナーコンテナＴＣｃ〜トナーコンテナＴＣｋの各々を、トナーコンテナＴＣと総称する場合がある。トナー供給部１３は、「装着部」の一例に相当する。
【００１６】
トナーコンテナＴＣｃには、シアン色のトナーが収納される。トナーコンテナＴＣｃは、画像形成部４にシアン色のトナーを供給する。トナーコンテナＴＣｍには、マゼンタ色のトナーが収納される。トナーコンテナＴＣｍは、画像形成部４にマゼンタ色のトナーを供給する。トナーコンテナＴＣｙには、イエロー色のトナーが収納される。トナーコンテナＴＣｙは、画像形成部４にイエロー色のトナーを供給する。トナーコンテナＴＣｋには、黒色のトナーが収納される。トナーコンテナＴＣｋは、画像形成部４に黒色のトナーを供給する。シアン色のトナー、マゼンタ色のトナー、イエロー色のトナー、及び黒色のトナーは、「消耗品」の一例に相当する。
【００１７】
トナーコンテナＴＣｃは、ＩＣ（Ｉｎｔｅｇｒａｔｅｄ  Ｃｉｒｃｕｉｔ）タグ６１を備える。ＩＣタグ６１は、トナーコンテナＴＣｃの周面に配置される。ＩＣタグ６１は、トナーコンテナＴＣｃの識別情報ＪＤｃを記憶する。トナーコンテナＴＣｍは、ＩＣタグ６２を備える。ＩＣタグ６２は、トナーコンテナＴＣｍの周面に配置される。ＩＣタグ６２は、トナーコンテナＴＣｍの識別情報ＪＤｍを記憶する。
【００１８】
トナーコンテナＴＣｙは、ＩＣタグ６３を備える。ＩＣタグ６３は、トナーコンテナＴＣｙの周面に配置される。ＩＣタグ６３は、トナーコンテナＴＣｙの識別情報ＪＤｙを記憶する。トナーコンテナＴＣｋは、ＩＣタグ６４を備える。ＩＣタグ６４は、トナーコンテナＴＣｋの周面に配置される。ＩＣタグ６４は、トナーコンテナＴＣｋの識別情報ＪＤｋを記憶する。以下の説明において、ＩＣタグ６１〜ＩＣタグ６４を、ＩＣタグ６と総称する場合がある。また、識別情報ＪＤｃ、識別情報ＪＤｍ、識別情報ＪＤｙ及び識別情報ＪＤｋを識別情報ＪＤと総称する場合がある。
【００１９】
トナー供給部１３には、トナーコンテナＴＣｃ〜トナーコンテナＴＣｋが着脱自在である。トナー供給部１３は、残量センサーＳ１、リーダー７１、残量センサーＳ２、リーダー７２、残量センサーＳ３、リーダー７３、残量センサーＳ４及びリーダー７４を備える。
【００２０】
残量センサーＳ１は、トナーコンテナＴＣｃに収納されているシアン色のトナーの残量ＲＴｃを検出する。リーダー７１は、ＩＣタグ６１からトナーコンテナＴＣｃの識別情報ＪＤｃを読み取る。残量センサーＳ２は、トナーコンテナＴＣｍに収納されているマゼンタ色のトナーの残量ＲＴｍを検出する。リーダー７２は、ＩＣタグ６２からトナーコンテナＴＣｍの識別情報ＪＤｍを読み取る。
【００２１】
残量センサーＳ３は、トナーコンテナＴＣｙに収納されているイエロー色のトナーの残量ＲＴｙを検出する。リーダー７３は、ＩＣタグ６３からトナーコンテナＴＣｙの識別情報ＪＤｙを読み取る。残量センサーＳ４は、トナーコンテナＴＣｋに収納されている黒色のトナーの残量ＲＴｋを検出する。リーダー７４は、ＩＣタグ６４からトナーコンテナＴＣｋの識別情報ＪＤｋを読み取る。以下の説明において、残量センサーＳ１〜残量センサーＳ４を、残量センサーＳと総称する場合がある。また、リーダー７１〜リーダー７４を、リーダー７と総称する場合がある。残量ＲＴｃ、残量ＲＴｍ、残量ＲＴｙ及び残量ＲＴｋを残量ＲＴと総称する場合がある。
【００２２】
画像形成部４は、用紙Ｐに画像を形成する。転写部５は、中間転写ベルト５４を備える。画像形成部４が、中間転写ベルト５４上にシアン色、マゼンタ色、イエロー色、及び黒色のトナー像を転写する。複数色のトナー像が中間転写ベルト５４上で重畳され、中間転写ベルト５４上に画像が形成される。転写部５は、中間転写ベルト５４上に形成された画像を、用紙Ｐ上に転写する。その結果、用紙Ｐに画像が形成される。画像形成部４及び転写部５については、図２を参照して詳細に説明する。
【００２３】
定着部１６は、用紙Ｐを加熱及び加圧し、用紙Ｐに形成された画像を用紙Ｐに定着する。排出部１７は、用紙Ｐを画像形成装置１００の外部に排出する。
【００２４】
操作パネル１４は、タッチパネル１４１及びスタートボタン１４２を備える。タッチパネル１４１は、例えば、ＬＣＤ（Ｌｉｑｕｉｄ  Ｃｒｙｓｔａｌ  Ｄｉｓｐｌａｙ）を備え、種々の画像を表示する。また、タッチパネル１４１は、タッチセンサーを備え、ユーザーからの操作を受け付ける。スタートボタン１４２は、ジョブを開始する場合に押下される。具体的には、ユーザーは、例えばプリントジョブを開始する場合にスタートボタン１４２を押下する。プリントジョブは用紙Ｐに画像を形成するジョブを示す。
【００２５】
制御部８は、プロセッサー８１及び記憶部８２を備える。プロセッサー８１は、例えばＣＰＵ（Ｃｅｎｔｒａｌ  Ｐｒｏｃｅｓｓｉｎｇ  Ｕｎｉｔ）を備える。記憶部８２は、半導体メモリーのようなメモリーを備え、ＨＤＤ（Ｈａｒｄ  Ｄｉｓｋ  Ｄｒｉｖｅ）を備えてもよい。記憶部８２は、制御プログラムを記憶している。
【００２６】
次に、図１及び図２を参照して、本発明の実施形態に係る画像形成部４の構成について説明する。図２は、画像形成部４の構成の一例を示す図である。図２に示すように、画像形成部４は、画像形成部４ｃ、画像形成部４ｍ、画像形成部４ｙ及び画像形成部４ｋを備える。
【００２７】
画像形成部４ｃ、画像形成部４ｍ、画像形成部４ｙ及び画像形成部４ｋは、それぞれ、露光部４１、感光体ドラム４２、現像部４３、帯電ローラー４４及びクリーニングブレード４５を備える。画像形成部４ｃ、画像形成部４ｍ、画像形成部４ｙ及び画像形成部４ｋの構成は、供給されるトナーの色が異なるのみで、その他の構成は略同一である。したがって、以下の説明では、シアン色のトナーが供給される画像形成部４ｃの構成について説明し、画像形成部４ｃ以外の画像形成部４ｍ、画像形成部４ｙ及び画像形成部４ｋの構成についての説明は省略する。
【００２８】
画像形成部４ｃは、露光部４１ｃ（４１）、感光体ドラム４２ｃ（４２）、現像部４３ｃ（４３）、帯電ローラー４４ｃ（４４）及びクリーニングブレード４５ｃ（４５）を有する。
【００２９】
帯電ローラー４４ｃは、感光体ドラム４２ｃを所定の電位に帯電させる。露光部４１ｃは、感光体ドラム４２ｃにレーザー光を照射して露光し、感光体ドラム４２ｃに静電潜像を形成する。現像部４３ｃは、現像ローラー４３１ｃを有する。現像ローラー４３１ｃは、感光体ドラム４２ｃにシアン色のトナーを供給し、静電潜像を現像してトナー像を形成する。このようにして、感光体ドラム４２ｃの周面にシアン色のトナー像が形成される。
【００３０】
クリーニングブレード４５ｃは、その先端（図２では上端）が、感光体ドラム４２ｃの周面と摺接する。感光体ドラム４２ｃの周面とクリーニングブレード４５ｃの先端とが摺接することで、感光体ドラム４２ｃの周面に残留するシアン色のトナーが除去される。
【００３１】
転写部５は、用紙Ｐにトナー像を転写する。転写部５は、一次転写ローラー５１、二次転写ローラー５２、駆動ローラー５３、中間転写ベルト５４及び従動ローラー５５を備える。一次転写ローラー５１は、感光体ドラム４２からシアン色、マゼンタ色、イエロー色、及び黒色のトナー像を中間転写ベルト５４に転写する。一次転写ローラー５１は、一次転写ローラー５１ｃ、一次転写ローラー５１ｍ、一次転写ローラー５１ｙ及び一次転写ローラー５１ｋを含む。
【００３２】
駆動ローラー５３は、中間転写ベルト５４を駆動する。中間転写ベルト５４は、一次転写ローラー５１、駆動ローラー５３及び従動ローラー５５に張架された無端ベルトである。中間転写ベルト５４は、駆動ローラー５３によって、矢印Ｄ１及び矢印Ｄ２に示すように、反時計回りに回転駆動される。従動ローラー５５は、中間転写ベルト５４の回転に伴って回転駆動される。ブレード５６は、中間転写ベルト５４の表面に残留しているトナーを除去する。
【００３３】
二次転写ローラー５２は、駆動ローラー５３に押圧され、二次転写ローラー５２と駆動ローラー５３との間にニップ部Ｎが形成される。二次転写ローラー５２は、用紙Ｐがニップ部Ｎを通過する際に、中間転写ベルト５４上のトナー像を用紙Ｐに転写する。
【００３４】
次に、図１〜図３を参照して、本発明の実施形態に係る制御部８の構成について説明する。図３は、制御部８の構成の一例を示す図である。
【００３５】
図３に示すように、制御部８は、取得部８０１、判定部８０２、形成部８０３、受付部８０４、調整部８０５、設定部８０６及び条件記憶部８２１を備える。具体的には、制御部８のプロセッサー８１は、制御プログラムを実行することによって、取得部８０１、判定部８０２、形成部８０３、受付部８０４、調整部８０５及び設定部８０６として機能する。記憶部８２は、条件記憶部８２１として機能する。
【００３６】
条件記憶部８２１は、複数の識別情報ＪＤと複数の画像形成条件ＭＣとを対応付けて記憶する。画像形成条件ＭＣは、用紙Ｐに形成する画像の画質Ｑを調整する条件を示す。画像形成条件ＭＣは、例えば、現像バイアス電圧、一次転写電圧、二次転写電圧、及び定着温度を含む。「現像バイアス電圧」は、現像ローラー４３１と感光体ドラム４２との間に印加する電圧を示す。「一次転写電圧」は、一次転写ローラー５１と感光体ドラム４２との間に印加する電圧を示す。「二次転写電圧」は、二次転写ローラー５２と駆動ローラー５３との間に印加する電圧を示す。「定着温度」は、定着部１６の温度を示す。
【００３７】
取得部８０１は、リーダー７を介して、トナー供給部１３に装着されたトナーコンテナＴＣの識別情報ＪＤを取得する。
【００３８】
判定部８０２は、トナーコンテナＴＣの識別情報ＪＤに基づいて、トナー供給部１３に装着されたトナーコンテナＴＣが、第１コンテナＴＣ１であるか第１コンテナＴＣ１と相違する第２コンテナＴＣ２であるかを判定する。第１コンテナＴＣ１は、例えば、専用品を示す。第２コンテナＴＣ２は、例えば、非専用品を示す。判定部８０２は、「第１判定部」の一例に相当する。
【００３９】
形成部８０３は、トナーコンテナＴＣが第２コンテナＴＣ２であると判定部８０２が判定した場合に、画像形成部４が画質評価画像Ｍを用紙Ｐに形成するように画像形成部４を制御する。画質評価画像Ｍは、画質Ｑを評価するための画像を示す。画質評価画像Ｍについては、図６を参照して詳細に説明する。
【００４０】
受付部８０４は、用紙Ｐに画像を形成する旨の指示を受け付ける。具体的には、受付部８０４は、スタートボタン１４２が押下された場合に、用紙Ｐに画像を形成する旨の指示を受け付ける。
【００４１】
調整部８０５は、ユーザーからの入力に基づき画像形成部４が用紙Ｐに形成する画像の画質Ｑを調整する。
【００４２】
設定部８０６は、条件記憶部８２１に記憶された複数の画像形成条件ＭＣのうち、取得部８０１が取得した識別情報ＪＤに対応する画像形成条件ＭＣを、条件記憶部８２１から読み出して、画像形成部４に対して設定する。
【００４３】
以上、図１〜図３を参照して説明したように、本発明の実施形態では、トナーコンテナＴＣが第２コンテナＴＣ２である場合には、画像形成部４が画質評価画像Ｍを用紙Ｐに形成する。よって、画質評価画像Ｍに基づいて画質Ｑを調整可能である。したがって、トナー供給部１３に装着されたトナーコンテナＴＣの第２コンテナＴＣ２（例えば、非専用品）である場合にも、用紙Ｐに形成される画像の画質Ｑの低下を抑制できる。すなわち、トナー供給部１３に装着されたトナーコンテナＴＣの第２コンテナＴＣ２（例えば、非専用品）である場合にも、ユーザーが所望する品質の画像を形成できる。
【００４４】
なお、本発明の実施形態では、用紙Ｐに画像形成部４が画質評価画像Ｍを形成するが、本発明はこれに限定されない。画像形成部４が画質評価画像Ｍを形成すればよい。例えば、感光体ドラム４２上に画像形成部４が画質評価画像Ｍを形成してもよいし、中間転写ベルト５４上に画像形成部４が画質評価画像Ｍを形成してもよい。これらの場合には、例えば、画質評価画像Ｍを反射型濃度センサーのような濃度センサーで検出して評価してもよい。また、例えば、画質評価画像ＭをＣＣＤ（Ｃｈａｒｇｅ  Ｃｏｕｐｌｅｄ  Ｄｅｖｉｃｅ）のような撮像素子で撮像して評価してもよい。
【００４５】
次に、図３〜図５を参照して、制御部８の処理について更に説明する。図４は、タッチパネル１４１に表示する画面の一例を示す画面図である。図４（ａ）は、画質確認画面９００の一例を示す画面図である。
【００４６】
図４（ａ）に示すように、画質確認画面９００には、メッセージ表示部９０１、ＹＥＳボタン９０２及びＮＯボタン９０３が表示されている。画質確認画面９００は、トナーコンテナＴＣが第２コンテナＴＣ２であると判定部８０２が判定した場合に、判定部８０２によってタッチパネル１４１に表示される。
【００４７】
メッセージ表示部９０１には、第１品質Ｑ１で画像を形成するか第２品質Ｑ２で画像を形成するかをユーザーに入力する旨のメッセージが表示される。具体的には、「第２コンテナＴＣ２が装着されました。第１コンテナＴＣ１と同じ画質で画像を形成しますか？」というメッセージが表示される。なお、トナーコンテナＴＣが第１コンテナＴＣ１である場合には、画像形成部４は第１品質Ｑ１の画像を形成する。すなわち、「第１コンテナＴＣ１と同じ画質」の画像とは、第１品質Ｑ１の画像を示す。
【００４８】
ＹＥＳボタン９０２は、第１品質Ｑ１で画像を形成する場合に、ユーザーによってタッチされる。ＹＥＳボタン９０２がタッチされた場合には、判定部８０２は、第１品質Ｑ１で画像を形成すると判定する。ＮＯボタン９０３は、第２品質Ｑ２で画像を形成する場合に、ユーザーによってタッチされる。ＮＯボタン９０３がタッチされた場合には、判定部８０２は、第２品質Ｑ２で画像を形成すると判定する。なお、第１品質Ｑ１は、第２品質Ｑ２より高い。
【００４９】
トナー供給部１３に装着されたトナーコンテナＴＣが第２コンテナＴＣ２であると判定部８０２が判定した場合に、判定部８０２は、ユーザーからの入力に基づき、第１品質Ｑ１で画像を形成するか第２品質Ｑ２で画像を形成するかを判定する。具体的には、トナーコンテナＴＣが第２コンテナＴＣ２であると判定部８０２が判定した場合には、用紙Ｐに画像を形成する旨の指示を受付部８０４が受け付ける度に、判定部８０２は、タッチパネル１４１に画質確認画面９００を表示する。判定部８０２は、「第２判定部」の一例に相当する。
【００５０】
以上、図３及び図４（ａ）を参照して説明したように、本発明の実施形態では、ユーザーからの入力に基づき第１品質Ｑ１で画像を形成するか第２品質Ｑ２で画像を形成するかを判定する。よって、ユーザーは所望する品質の画像を形成できる。したがって、ユーザーの利便性を向上できる。
【００５１】
また、画像を形成する旨の指示を受付部８０４が受け付ける度に、ユーザーからの入力に基づき、第１品質Ｑ１で画像を形成するか第２品質Ｑ２で画像を形成するかを判定する。よって、ユーザーは所望する品質の画像を形成できる。したがって、ユーザーの利便性を更に向上できる。
【００５２】
なお、本発明の実施形態では、画像を形成する旨の指示を受付部８０４が受け付ける度に、第１品質Ｑ１で画像を形成するか第２品質Ｑ２で画像を形成するかを判定部８０２が判定するが、本発明はこれに限定されない。トナー供給部１３に装着されたトナーコンテナＴＣが第２コンテナＴＣ２であると判定部８０２が判定した場合に、第１品質Ｑ１で画像を形成するか第２品質Ｑ２で画像を形成するかを判定部８０２が判定すればよい。
【００５３】
例えば、所定時間（例えば、１時間）毎に、判定部８０２が、第１品質Ｑ１で画像を形成するか第２品質Ｑ２で画像を形成するかを判定してもよい。また、例えば、画像形成部４が所定枚数（例えば、１００枚）の用紙Ｐに画像を形成する度に、判定部８０２が、第１品質Ｑ１で画像を形成するか第２品質Ｑ２で画像を形成するかを判定してもよい。
【００５４】
また、本発明の実施形態では、トナーコンテナＴＣが第２コンテナＴＣ２であると判定部８０２が判定した場合に、判定部８０２は、第１品質Ｑ１で画像を形成するか第２品質Ｑ２で画像を形成するかを判定するが、本発明はこれに限定されない。トナーコンテナＴＣが第２コンテナＴＣ２であると判定部８０２が判定した場合に、判定部８０２が、第１品質Ｑ１で画像を形成するか、第２品質Ｑ２で画像を形成するか、第３品質Ｑ３で画像を形成するかを判定してもよい。第３品質Ｑ３は、第１品質Ｑ１より低く、且つ第２品質Ｑ２より高い。トナーコンテナＴＣが第１コンテナＴＣ１から第２コンテナＴＣ２に交換されてから所定期間は、画像形成部４（現像部４３）において、第１コンテナＴＣ１に収納された高品質トナーと、第２コンテナＴＣ２に収納された通常品質トナーとが混ざり合った状態になるからである。このような状態で、第３品質Ｑ３で画像を形成すると判定部８０２が判定した場合には、画質調整を行うことなく、第２品質Ｑ２より高い第３品質Ｑ３の画像を形成できる。
【００５５】
図４（ｂ）は、調整確認画面９１０の一例を示す画面図である。トナーコンテナＴＣが第２コンテナＴＣ２であると判定部８０２が判定した場合に、調整確認画面９１０は、判定部８０２によってタッチパネル１４１に表示される。
【００５６】
図４（ｂ）に示すように、調整確認画面９１０には、メッセージ表示部９１１、ＹＥＳボタン９１２及びＮＯボタン９１３が表示されている。
【００５７】
メッセージ表示部９１１には、用紙Ｐに形成する画像の画質Ｑの調整を行うか否かをユーザーに入力する旨のメッセージが表示される。具体的には、メッセージ表示部９１１には、「画質を調整しますか？」というメッセージが表示される。
【００５８】
ＹＥＳボタン９０２は、画質Ｑの調整を行う場合に、ユーザーによってタッチされる。ＹＥＳボタン９０２がタッチされた場合には、判定部８０２は、画質Ｑの調整を行うと判定する。ＮＯボタン９０３は、画質Ｑの調整を行わない場合に、ユーザーによってタッチされる。ＮＯボタン９０３がタッチされた場合には、判定部８０２は、画質Ｑの調整を行わないと判定する。
【００５９】
画質Ｑの調整を行うと判定部８０２が判定した場合には、調整部８０５は、画質調整画面をタッチパネル１４１に表示する。調整部８０５は、画質調整画面に対するユーザーからの入力に基づき画質Ｑを調整する。画質調整画面は、例えば、用紙Ｐに対する画像の濃度を調整する濃度調整画面９２０を含む。濃度調整画面９２０については、図５を参照して詳細に説明する。また、画質Ｑについては、図６を参照して詳細に説明する。
【００６０】
判定部８０２は、トナーコンテナＴＣが第２コンテナＴＣ２であると判定した場合に、画像形成部４が用紙Ｐに画像を形成する度に、ユーザーからの入力に基づき用紙Ｐに形成する画像の画質Ｑの調整を行うか否かを判定する。具体的には、判定部８０２は、タッチパネル１４１に調整確認画面９１０を表示する。判定部８０２は、「第３判定部」の一例に相当する。
【００６１】
以上、図３〜図４（ｂ）を参照して説明したように、本発明の実施形態では、トナーコンテナＴＣが第２コンテナＴＣ２であると判定した場合に、画像形成部４が用紙Ｐに画像を形成する度に、ユーザーからの入力に基づき画質Ｑの調整を行うか否かを判定する。また、画質Ｑの調整を行うと判定した場合には、ユーザーからの入力に基づき画質調整画面を介して画質Ｑを調整する。したがって、トナーコンテナＴＣが第２コンテナＴＣ２である場合にも、画質Ｑの低下を確実に抑制できる。
【００６２】
なお、本発明の実施形態では、トナーコンテナＴＣが第２コンテナＴＣ２であると判定部８０２が判定した場合に、画像形成部４が用紙Ｐに画像を形成する度に、ユーザーからの入力に基づき画質Ｑの調整を行うか否かを判定部８０２が判定するが、本発明はこれに限定されない。トナーコンテナＴＣが第２コンテナＴＣ２であると判定部８０２が判定した場合に、ユーザーからの入力に基づき画質Ｑの調整を行うか否かを判定部８０２が判定すればよい。
【００６３】
例えば、所定時間（例えば、１時間）毎に、判定部８０２がユーザーからの入力に基づき画質Ｑの調整を行うか否かを判定してもよい。また、例えば、画像形成部４が所定枚数（例えば、１００枚）の用紙Ｐに画像を形成する度に、判定部８０２がユーザーからの入力に基づき画質Ｑの調整を行うか否かを判定してもよい。
【００６４】
また、本発明の実施形態では、トナーコンテナＴＣが第２コンテナＴＣ２であると判定部８０２が判定した場合に、用紙Ｐに画像形成部４が画像を形成する度に、ユーザーからの入力に基づき画質Ｑの調整を行うか否かを判定部８０２が判定するが、本発明はこれに限定されない。画像形成部４が画像を形成する度に、画質Ｑの調整を行うか否かを判定部８０２が判定すればよい。例えば、感光体ドラム４２上に画像形成部４が画像を形成する度に、画質Ｑの調整を行うか否かを判定部８０２が判定してもよい。また、例えば、中間転写ベルト５４上に画像形成部４が画像を形成する度に、画質Ｑの調整を行うか否かを判定部８０２が判定してもよい。
【００６５】
図５は、タッチパネル１４１に表示する濃度調整画面９２０の一例を示す画面図である。画質Ｑの調整を行うと判定部８０２が判定した場合には、調整部８０５は、濃度調整画面９２０をタッチパネル１４１に表示する。濃度調整画面９２０は、「画質調整画面」の一例に相当する。
【００６６】
図５に示すように、濃度調整画面９２０には、薄くボタン９２１、濃くボタン９２２、設定濃度表示部９２３、ＯＫボタン９２４及びキャンセルボタン９２５が表示される。
【００６７】
薄くボタン９２１は、ユーザーが画像の濃度ＤＮを薄くする場合にタッチされる。濃くボタン９２２は、ユーザーが画像の濃度ＤＮを濃くする場合にタッチされる。
【００６８】
設定濃度表示部９２３は、設定されている濃度ＤＮを表示する。設定濃度表示部９２３は、濃度スケール９２３ａとインジケーターＩＮとを含む。濃度スケール９２３ａは、画像の濃度ＤＮのイメージを画像として表示する。例えば、濃度スケール９２３ａでは、５段階の濃度ＤＮを示す。インジケーターＩＮは、設定されている濃度を示す。すなわち、インジケーターＩＮが指し示す濃度スケール９２３ａの位置は、設定されている濃度ＤＮを示す。
【００６９】
薄くボタン９２１をユーザーがタッチすると、インジケーターＩＮが左側に移動する。濃くボタン９２２をユーザーがタッチすると、インジケーターＩＮが右側に移動する。
【００７０】
ユーザーが設定濃度表示部９２３に表示された濃度ＤＮに決定する場合に、ＯＫボタン９２４はタッチされる。ユーザーが設定濃度表示部９２３に表示された濃度ＤＮをキャンセルする場合に、キャンセルボタン９２５はタッチされる。キャンセルボタン９２５がタッチされると、インジケーターＩＮはデフォルトの位置（例えば、濃度スケール９２３ａの長手方向の中央位置）に戻る。
【００７１】
以上、図３〜図５を参照して説明したように、本発明の実施形態では、ユーザーからの入力に基づき画質Ｑを調整するため、トナーコンテナＴＣが第２コンテナＴＣ２であると判定部８０２が判定した場合にも、画質Ｑの低下を確実に抑制できる。
【００７２】
次に、図１及び図３〜図６を参照して、制御部８の処理について更に説明する。図６は、画質評価画像Ｍの一例を示す図である。トナーコンテナＴＣが第２コンテナＴＣ２であると判定部８０２が判定した場合に、画質評価画像Ｍは画像形成部４によって用紙Ｐに形成される。
【００７３】
図６に示すように、画質評価画像Ｍは、パッチＭＹ１〜パッチＭＹ９、パッチＭＭ１〜パッチＭＭ９、パッチＭＣ１〜パッチＭＣ９及びパッチＭＫ１〜パッチＭＫ９を含む。
【００７４】
パッチＭＹ１〜パッチＭＹ９は、イエロー色のトナーだけで形成された矩形状のパッチを示す。パッチＭＹ１〜パッチＭＹ９の各々の濃度ＤＹ１〜ＤＹ９は、下記の式（１）を満たす。
ＤＹ１＞ＤＹ２＞ＤＹ３＞ＤＹ４＞ＤＹ５＞ＤＹ６＞ＤＹ７＞ＤＹ８＞ＤＹ９（１）
なお、例えば、「ＤＹ１＞ＤＹ２」は、濃度ＤＹ１が濃度ＤＹ２よりも濃いことを示す。すなわち、パッチＭＹ１〜パッチＭＹ９は、イエロー色の９諧調の濃度ＤＮに対応する。
【００７５】
パッチＭＭ１〜パッチＭＭ９は、マゼンタ色のトナーだけで形成された矩形状のパッチを示す。パッチＭＭ１〜パッチＭＭ９の各々の濃度ＤＭ１〜ＤＭ９は、下記の式（２）を満たす。
ＤＭ１＞ＤＭ２＞ＤＭ３＞ＤＭ４＞ＤＭ５＞ＤＭ６＞ＤＭ７＞ＤＭ８＞ＤＭ９（２）
すなわち、パッチＭＭ１〜パッチＭＭ９は、マゼンタ色の９諧調の濃度ＤＮに対応する。
【００７６】
パッチＭＣ１〜パッチＭＣ９は、シアン色のトナーだけで形成された矩形状のパッチを示す。パッチＭＣ１〜パッチＭＣ９の各々の濃度ＤＣ１〜ＤＣ９は、下記の式（３）を満たす。
ＤＣ１＞ＤＣ２＞ＤＣ３＞ＤＣ４＞ＤＣ５＞ＤＣ６＞ＤＣ７＞ＤＣ８＞ＤＣ９（３）
すなわち、パッチＭＣ１〜パッチＭＣ９は、シアン色の９諧調の濃度ＤＮに対応する。
【００７７】
パッチＭＫ１〜パッチＭＫ９は、黒色のトナーだけで形成された矩形状のパッチを示す。パッチＭＫ１〜パッチＭＫ９の各々の濃度ＤＫ１〜ＤＫ９は、下記の式（４）を満たす。
ＤＫ１＞ＤＫ２＞ＤＫ３＞ＤＫ４＞ＤＭ５＞ＤＫ６＞ＤＫ７＞ＤＫ８＞ＤＫ９（４）
すなわち、パッチＭＫ１〜パッチＭＫ９は、黒色の９諧調の濃度ＤＮに対応する。
【００７８】
ユーザーは、画質評価画像Ｍが形成された用紙Ｐを、原稿搬送ユニット３に載置して、画像読取ユニット２に画質評価画像Ｍを読み取らせる。画像読取ユニット２は、画質評価画像情報ＭＪを生成する。画質評価画像情報ＭＪは、画質評価画像Ｍを示す。次に、ユーザーは、画質評価画像情報ＭＪを制御部８に評価するように指示する。制御部８は、画質評価画像情報ＭＪを用いて画質評価画像Ｍの画質Ｑを評価する。
【００７９】
画質Ｑは、ガンマ値、濃度、色再現性、及びかぶりの程度を含む。「ガンマ値」とは、画像の階調の特性を示す数値である。具体的には、各色の９諧調の濃度ＤＮが、予め設定された９諧調の濃度ＤＮＡと一致するように、制御部８は各色の９諧調の濃度ＤＮを調整（ガンマ補正）する。
【００８０】
「濃度」とは、濃度調整画面９２０でユーザーによって設定された濃度ＤＮＡと、画像形成部４が用紙Ｐに形成する画像の濃度ＤＮＢとが一致する程度を示す。
【００８１】
「色再現性」とは、タッチパネル１４１に表示された画像の色と、画像形成部４が用紙Ｐに形成する画像の色とが一致する程度を示す。「かぶり」とは、本来白抜けとなるべき部分が黒くなる現象を示す。
【００８２】
制御部８は、ガンマ値、濃度、色再現性、及びかぶりの程度を調整する機能を有する。
【００８３】
トナーコンテナＴＣが第２コンテナＴＣ２であると判定部８０２が判定した場合に、形成部８０３は、画像形成部４が画質評価画像Ｍを用紙Ｐに形成するように、画像形成部４を制御する。具体的には、画像形成装置１００の電源がオフからオンにされる度に、形成部８０３は、画像形成部４が画質評価画像Ｍを用紙Ｐに形成するように画像形成部４を制御する。
【００８４】
以上、図１及び図３〜図６を参照して説明したように、本発明の実施形態では、画像形成装置１００の電源がオフからオンにされる度に、画質評価画像Ｍが形成されるため、画質評価画像Ｍに基づいて画質Ｑを調整できる。したがって、トナーコンテナＴＣが第２コンテナＴＣ２であると判定した場合にも、画質Ｑの低下を更に確実に抑制できる。
【００８５】
また、制御部８は、画質Ｑを調整する機能を有する。画質Ｑは、ガンマ値、濃度、色再現性、及びかぶりの程度を含む。したがって、トナーコンテナＴＣが第２コンテナＴＣ２であると判定した場合にも、画質Ｑの低下を更に確実に抑制できる。
【００８６】
なお、本発明の実施形態では、トナーコンテナＴＣが第２コンテナＴＣ２であると判定した場合には、画像形成装置１００の電源がオフからオンにされる度に、画質評価画像Ｍが形成されるが、本発明はこれに限定されない。トナーコンテナＴＣが第２コンテナＴＣ２であると判定した場合に、画質評価画像Ｍが形成されればよい。例えば、所定期間（例えば、２４時間）毎に、画質評価画像Ｍが形成されてもよい。また、例えば、画像形成部４が所定枚数（例えば、１０００枚）の用紙Ｐに画像を形成する度に、画質評価画像Ｍが形成されてもよい。
【００８７】
また、本発明の実施形態では、画質Ｑは、ガンマ値、濃度、色再現性、及びかぶりの程度を含むが、本発明はこれに限定されない。画質Ｑが、ガンマ値、濃度、色再現性、及びかぶりの程度の少なくとも１つを含めばよい。
【００８８】
次に、図３〜図９を参照して、制御部８の処理について説明する。図７〜図９は、制御部８の処理の一例を示すフローチャートである。
まず、図７に示すように、ステップＳ１０１において、制御部８は、画像形成装置１００の電源がオフからオンにされたか否かを判定する。
画像形成装置１００の電源がオフからオンにされていないと制御部８が判定した場合（ステップＳ１０１でＮＯ）には、処理が待機状態になる。画像形成装置１００の電源がオフからオンにされたと制御部８が判定した場合（ステップＳ１０１でＹＥＳ）には、処理がステップＳ１０３に進む。
そして、ステップＳ１０３において、取得部８０１が、トナー供給部１３に装着されたトナーコンテナＴＣの識別情報ＪＤを取得する。
次に、ステップＳ１０５において、判定部８０２が、トナーコンテナＴＣが第２コンテナＴＣ２であるか否かを判定する。
【００８９】
トナーコンテナＴＣが第２コンテナＴＣ２ではないと判定部８０２が判定した場合（ステップＳ１０５でＮＯ）には、処理が終了する。トナーコンテナＴＣが第２コンテナＴＣ２であると判定部８０２が判定した場合（ステップＳ１０５でＹＥＳ）には、処理がステップＳ１０７に進む。
次に、ステップＳ１０７において、判定部８０２は、トナーコンテナＴＣの識別情報ＪＤが、条件記憶部８２１に記憶された複数の識別情報ＪＤのいずれかと一致するか否かを判定する。判定部８０２は、「第４判定部」の一例に相当する。
トナーコンテナＴＣの識別情報ＪＤが条件記憶部８２１に記憶された複数の識別情報ＪＤのいずれかと一致すると判定部８０２が判定した場合（ステップＳ１０７でＹＥＳ）には、処理がステップＳ１１７に進む。トナーコンテナＴＣの識別情報ＪＤが条件記憶部８２１に記憶された複数の識別情報ＪＤのいずれかと一致しないと判定部８０２が判定した場合（ステップＳ１０７でＮＯ）には、処理がステップＳ１０９に進む。
そして、ステップＳ１０９において、形成部８０３は、画像形成部４が画質評価画像Ｍを用紙Ｐに形成するように画像形成部４を制御する。
【００９０】
次に、ステップＳ１１１において、画像読取ユニット２は、用紙Ｐに形成され画質評価画像Ｍを読み取り、画質評価画像情報ＭＪを生成する。
次に、ステップＳ１１３において、制御部８は、ユーザーからの入力に基づいて画質Ｑを調整するか否かを判定する。
画質Ｑを調整しないと制御部８が判定した場合（ステップＳ１１３でＮＯ）には、処理が図８のステップＳ１２１に進む。画質Ｑを調整すると制御部８が判定した場合（ステップＳ１１３でＹＥＳ）には、処理がステップＳ１１５に進む。
そして、ステップＳ１１５において、調整部８０５が、ユーザーからの入力に基づき画像形成部４が用紙Ｐに形成する画像の画質Ｑを調整し、処理が図８のステップＳ１２１に進む。
ステップＳ１０７でＹＥＳの場合には、ステップＳ１１７において、設定部８０６は、トナーコンテナＴＣの識別情報ＪＤに対応する画像形成条件ＭＣを、条件記憶部８２１から読み出す。
次に、ステップＳ１１９において、設定部８０６は、画像形成条件ＭＣを画像形成部４に対して設定し、処理が図８のステップＳ１２１に進む。
【００９１】
そして、図８に示すステップＳ１２１において、受付部８０４は、スタートボタン１４２が押下されたか否かを判定する。
スタートボタン１４２が押下されていないと受付部８０４が判定した場合（ステップＳ１２１でＮＯ）には、処理が待機状態になる。スタートボタン１４２が押下されたと受付部８０４が判定した場合（ステップＳ１２１でＹＥＳ）には、処理がステップＳ１２３に進む。
そして、ステップＳ１２３において、判定部８０２は、タッチパネル１４１に画質確認画面９００を表示する。
次に、ステップＳ１２５において、判定部８０２は、第１品質Ｑ１で画像を形成するか否かを判定する。
第１品質Ｑ１で画像を形成すると判定部８０２が判定した場合（ステップＳ１２５でＹＥＳ）には、処理がステップＳ１２７に進む。
そして、ステップＳ１２７において、設定部８０６は、第１画像形成条件ＭＣＡを画像形成部４に対して設定し、処理がステップＳ１３１に進む。第１画像形成条件ＭＣＡは、第１品質Ｑ１で画像を形成する画像形成条件ＭＣを示す。
一方、第１品質Ｑ１で画像を形成しないと判定部８０２が判定した場合（ステップＳ１２５でＮＯ）には、処理がステップＳ１２９に進む。
そして、ステップＳ１２９において、設定部８０６は、第２画像形成条件ＭＣＢを画像形成部４に対して設定する。第２画像形成条件ＭＣＢは、第２品質Ｑ２で画像を形成する画像形成条件ＭＣを示す。
【００９２】
次に、ステップＳ１３１において、制御部８は、画像形成部４が画像を形成するように画像形成部４を制御する。
次に、ステップＳ１３３において、制御部８は、画像形成部４による画像の形成処理が終了したか否かを判定する。
画像形成部４による画像の形成処理が終了していないと制御部８が判定した場合（ステップＳ１３３でＮＯ）には、処理がステップＳ１３１に戻る。画像形成部４による画像の形成処理が終了したと制御部８が判定した場合（ステップＳ１３３でＹＥＳ）には、処理がステップＳ１３５に進む。
そして、ステップＳ１３５において、制御部８は、ユーザーからの入力に基づいて画質Ｑを調整するか否かを判定する。
画質Ｑを調整しないと制御部８が判定した場合（ステップＳ１３５でＮＯ）には、処理が図９のステップＳ１３９に進む。画質Ｑを調整すると制御部８が判定した場合（ステップＳ１３５でＹＥＳ）には、処理がステップＳ１３７に進む。
そして、ステップＳ１３７において、調整部８０５が、ユーザーからの入力に基づき画像形成部４が用紙Ｐに形成する画像の画質Ｑを調整し、処理が図９のステップＳ１３９に進む。
【００９３】
次に、図９に示すステップＳ１３９において、制御部８は、トナーの残量ＲＴが略ゼロであるか否かを判定する。
トナーの残量ＲＴが略ゼロではないと制御部８が判定した場合（ステップＳ１３９でＮＯ）には、処理がステップＳ１４３に進む。トナーの残量ＲＴが略ゼロであると制御部８が判定した場合（ステップＳ１３９でＹＥＳ）には、処理がステップＳ１４１に進む。
そして、ステップＳ１４１において、制御部８は、識別情報ＪＤと画像形成条件ＭＣとを対応付けて、条件記憶部８２１に記憶する。
次に、ステップＳ１４３において、制御部８は、画像形成装置１００の電源がオンからオフにされたか否かを判定する。
画像形成装置１００の電源がオンからオフにされていないと制御部８が判定した場合（ステップＳ１４３でＮＯ）には、処理が図８のステップＳ１２１に戻る。画像形成装置１００の電源がオンからオフにされたと制御部８が判定した場合（ステップＳ１４３でＹＥＳ）には、処理が終了する。
【００９４】
ステップＳ１０５が、「第１判定ステップ」の一例に相当し、ステップＳ１２５が「第２判定ステップ」の一例に相当し、ステップＳ１０９が「形成ステップ」の一例に相当する。
【００９５】
以上、図３〜図９を参照して説明したように、本発明の実施形態では、トナーコンテナＴＣが第２コンテナＴＣ２であると判定され、トナーコンテナＴＣの識別情報ＪＤが条件記憶部８２１に記憶された複数の識別情報ＪＤのいずれかと一致する場合に、設定部８０６は、識別情報ＪＤに対応する画像形成条件ＭＣを読み出して、画像形成部４に対して設定する。したがって、ユーザーの利便性を更に向上できる。
【００９６】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９７】
（１）図１及び図２を参照して説明したように、本発明の実施形態では、「消耗品」がトナーであり、「交換部品」がトナーコンテナＴＣであるが、本発明はこれに限定されない。「消耗品」を消費することによって用紙Ｐに画像を形成すればよい。例えば、「消耗品」がインクであり、「交換部品」がインクカートリッジでもよい。この場合には、「画像形成装置」は、インクジェット記録装置である。
【００９８】
（２）図１及び図２を参照して説明したように、本発明の実施形態では、画像形成装置１００がカラー複合機であるが、本発明はこれに限定されない。画像形成装置１００が用紙Ｐに画像を形成すればよい。例えば、画像形成装置１００がモノクロの複合機でもよいし、画像形成装置１００がカラープリンターでもよい。
【００９９】
（３）図１〜図３を参照して説明したように、本発明の実施形態では、第１コンテナＴＣ１が、専用品を示し、第２コンテナＴＣ２が非専用品を示すが、本発明はこれに限定されない。第１コンテナＴＣ１が「高品質」のトナーを収納し、第２コンテナＴＣ２が「通常品質」のトナーを収納していればよい。「高品質」のトナーは、「通常品質」のトナーと比較して品質が高い。
【０１００】
（４）図３〜図５を参照して説明したように、本発明の実施形態では、画質評価画像Ｍが、パッチＭＹ１〜パッチＭＹ９、パッチＭＭ１〜パッチＭＭ９、パッチＭＣ１〜パッチＭＣ９及びパッチＭＫ１〜パッチＭＫ９を含むが、本発明はこれに限定されない。画質評価画像Ｍが、画質Ｑを評価するための画像であればよい。例えば、画質評価画像Ｍが、パッチＭＫ１〜パッチＭＫ９だけを含んでもよい。この場合には、モノクロ画像の画質Ｑを評価することができる。
【産業上の利用可能性】
【０１０１】
本発明は、画像形成装置、及び画像形成方法の分野に利用可能である。
【符号の説明】
【０１０２】
１００    画像形成装置
１    画像形成ユニット
４、４ｃ、４ｍ、４ｙ、４ｋ    画像形成部
４２、４２ｃ、４２ｍ、４２ｙ、４２ｋ    感光体ドラム
４３、４３ｃ、４３ｍ、４３ｙ、４３ｋ    現像部
４３１、４３１ｃ、４３１ｍ、４３１ｙ、４３１ｋ    現像ローラー
５    転写部
５１、５１ｃ、５１ｍ、５１ｙ、５１ｋ    一次転写ローラー
５２    二次転写ローラー
５３    駆動ローラー
５４    中間転写ベルト
１３    トナー供給部（装着部）
ＴＣ、ＴＣｃ、ＴＣｍ、ＴＣｙ、ＴＣｋ    トナーコンテナ（交換部品）
６、６１、６２、６３、６４    ＩＣタグ
Ｓ、Ｓ１、Ｓ２、Ｓ３、Ｓ４    残量センサー
ＲＴ、ＲＴｃ、ＲＴｍ、ＲＴｙ、ＲＴｋ    残量
７、７１、７２、７３、７４    リーダー
１４    操作パネル
１４１    タッチパネル
８    制御部
８１    プロセッサー
８０１    取得部
８０２    判定部（第１判定部〜第４判定部）
８０３    形成部
８０４    受付部
８０５    調整部
８０６    設定部
８２    記憶部
８２１    条件記憶部
２    画像読取ユニット
３    原稿搬送ユニット
【図１】
2019056809.tif 000003
【図２】
2019056809.tif 000004
【図３】
2019056809.tif 000005
【図４】
2019056809.tif 000006
【図５】
2019056809.tif 000007
【図６】
2019056809.tif 000008
【図７】
2019056809.tif 000009
【図８】
2019056809.tif 000010
【図９】
2019056809.tif 000011